(57)【特許請求の範囲】
【請求項１】
液透過性の表面シートと、
前記表面シートと対向する位置に設けられた裏面シートと、
前記裏面シートの前記表面シート側とは反対側の面に設けられた粘着部とを備える吸収性物品であって、
前記表面シートおよび前記裏面シートは、高圧水流によってシート加工された後、潜在捲縮性繊維の捲縮を発現させることにより作製させた不織布であり、前記表面シートおよび前記裏面シートの繊維の配向方向が、長手方向に対して直交しており、前記吸収性物品は、長手方向において１０％伸長後に２０％以上４０％以下の伸長歪み量を示す、吸収性物品。
【請求項２】
前記表面シートおよび裏面シートの少なくとも一方は、該シートを構成する繊維の融点付近の温度まで加熱した場合、加熱前に比べて１５〜３０％の収縮率でさらに収縮する請求項１に記載の吸収性物品。
【請求項３】
前記表面シートと前記裏面シートとの間に設けられた吸収体をさらに備え、
前記吸収体の面方向の領域は、前記表面シートおよび前記裏面シートの面方向の領域の中に含まれる請求項１または２に記載の吸収性物品。
【請求項４】
前記裏面シートの前記表面シート側に、液の透過を抑制する防漏シートをさらに備え、
前記防漏シートは、一軸延伸フィルムである請求項１〜３のいずれか１項に記載の吸収性物品。
【請求項５】
前記吸収性物品の前記粘着部を除く前記構成要素のうちの少なくとも１つの構成要素は、メッシュ状の溝を有するか、複数のエンボス加工開口部を有するか、またはスリットを有することによって、伸長強度が低減されている請求項１〜４のいずれか１項に記載の吸収性物品。
【請求項６】
液透過性の表面シートと、
前記表面シートと対向する位置に設けられた裏面シートと、
前記表面シートと前記裏面シートとの間に設けられた吸収体と、
前記吸収体と前記裏面シートとの間に設けられた、液の透過を抑制する防漏シートと、
前記裏面シートの前記表面シート側とは反対側の面に設けられた粘着部とを備える吸収性物品であって、
前記表面シートおよび前記裏面シートは、高圧水流によってシート加工された後、潜在捲縮性繊維の捲縮を発現させることにより作製させた不織布であり、前記吸収性物品は、長手方向において１０％伸長後に２０％以上４０％以下の伸長歪み量を示し、
前記表面シートおよび裏面シートの少なくとも一方は、該シートを構成する繊維の融点付近の温度まで加熱した場合、加熱前に比べて１５〜３０％の収縮率でさらに収縮し、
前記表面シートおよび前記裏面シートの繊維の配向方向が、長手方向に対して直交しており、
前記吸収体の面方向の領域は、前記表面シートおよび前記裏面シートの面方向の領域の中に含まれ、
前記防漏シートは、一軸延伸フィルムであり、
前記表面シート、前記裏面シート、前記吸収体および前記防漏シートのうちの少なくとも１つは、メッシュ状の溝を有するか、複数のエンボス加工開口部を有するか、またはスリットを有することによって、伸長強度が低減されている吸収性物品。
【発明の詳細な説明】
【技術分野】
【０００１】
本発明は、下着などの被着体に貼り付けて使用する吸収性物品に関する。
【背景技術】
【０００２】
下着に取り付けて使用するパンティライナなどの吸収性物品は、下着の伸縮に合わせて伸び縮みすることが好ましい。たとえば、吸収性物品が伸び縮みしない場合、下着から吸収性物品が剥がれたり、しわになったりする場合がある。また、着用者は、下着との伸縮性が異なる吸収性物品に対して違和感を感じ、不快に感じる場合がある。そこで、従来から伸縮性を有する吸収性物品が開発されてきた（たとえば、特許文献１〜３を参照）。
【０００３】
特許文献１に記載の吸収製品は、着用者の下着に取り着けるための吸収製品であり、縦軸および横軸を有し、液体通路を有するトップシートと、使用の間下着に面する外側表面を有するバックシートと、トップシートとバックシートとの間に介在された吸収性コアと、バックシートの外側表面上に提供されるパンティ固定手段とを含み、製品は縦軸に平行または横軸に平行あるいはその組合せから選択される方向に収縮性を有する。
【０００４】
特許文献２に記載の吸収性物品は、縦方向の中心線と、横方向の中心線と、透液側と、不透液側と、上記透液側と上記不透液側の間にある吸収体とをもち、下着の股部分に装着する伸縮自在な吸収性物品であり、縦方向中心線付近に中心がある、吸収性物品の縦方向部分に沿って、吸収性物品から切り取られた初期長さをもつ１．０インチ（２．５４ｃｍ）幅のストリップが、５００ｇ以下の力がかかったときに、その初期長さの１１０％以上に伸長することができる。
【０００５】
特許文献３に記載の吸収用品は、少なくとも第１層と少なくとも第２層とを含み、縦方向に弾性的になっている。吸収用品は、４００ｇの負荷力により縦の中央線に沿って元の長さの５％〜２０％伸び、負荷力が除去された後の回復率は、少なくとも９０％である。
【先行技術文献】
【特許文献】
【０００６】
【特許文献１】特表１１−５０８１７８号公報
【特許文献２】特表６−５０２１０９号公報
【特許文献３】特開２００８−４９１２８号公報
【発明の概要】
【発明が解決しようとする課題】
【０００７】
伸縮性を有する吸収性物品が伸びたとき、元の大きさに戻ろうとする力（収縮力）が発生する。この収縮力が大きいと、着用時に着用者に対して突っ張ったような使用感を与えたり、下着が体圧から解放されたとき吸収性物品は、たるみ、しわ、よれなどを下着に発生させたりする場合がある。本発明は、好適な収縮力を有する伸縮可能な吸収性物品を提供することを目的としている。
【課題を解決するための手段】
【０００８】
本発明は、上記課題を解決するため、以下の構成を採用した。
すなわち、本発明の吸収性物品は、液透過性の表面シートと、表面シートと対向する位置に設けられた裏面シートと、裏面シートの表面シート側とは反対側の面に設けられた粘着部とを備え、表面シートおよび裏面シートは、高圧水流によってシート加工された後、潜在捲縮性繊維の捲縮を発現させることにより作製させた不織布である。
本発明の他の吸収性物品は、液透過性の表面シートと、表面シートと対向する位置に設けられた裏面シートと、表面シートと裏面シートとの間に設けられた吸収体と、吸収体と裏面シートとの間に設けられた、液の透過を抑制する防漏シートと、裏面シートの表面シート側とは反対側の面に設けられた粘着部とを備え、表面シートおよび裏面シートは、高圧水流によってシート加工された後、潜在捲縮性繊維の捲縮を発現させることにより作製させた不織布であり、表面シートおよび裏面シートの少なくとも一方は、該シートを構成する繊維の融点付近の温度まで加熱した場合、さらに収縮し、表面シートおよび裏面シートの繊維の配向方向が、長手方向に対して直交しており、吸収体の面方向の領域は、表面シートおよび裏面シートの面方向の領域の中に含まれ、防漏シートは、一軸延伸フィルムであり、表面シート、裏面シート、吸収体および防漏シートのうちの少なくとも１つは、メッシュ状の溝を形成するか、エンボス加工により複数の開口部を形成するか、またはスリットを形成することによって、伸長強度が低減されている。
【発明の効果】
【０００９】
本発明によれば、好適な収縮力を有する伸縮可能な吸収性物品を提供することができる。
【図面の簡単な説明】
【００１０】
【図１】図１は、本発明の第１の実施形態の吸収性物品を説明するための図である。
【図２】図２は、潜在捲縮繊維を説明するための図である。
【図３】図３は、不織布の中の捲縮繊維の配向方向を説明するための図である。
【図４】図４は、本発明の第２の実施形態の吸収性物品を説明するための図である。
【図５】図５は、本発明の第１の実施形態の吸収性物品の伸長力、収縮力および歪み量を説明するための図である。
【図６】図６は、本発明の第２の実施形態の吸収性物品の吸収体および防漏シートの存在する領域の伸長力および収縮力と、吸収体および防漏シートの存在しない領域の伸長力および収縮力とを説明するための図である。
【発明を実施するための形態】
【００１１】
−第１の実施形態−
以下、図を参照して本発明の第１の実施形態の吸収性物品を説明する。本発明の第１の実施形態の吸収性物品は、パンティライナである。
図１は、本発明の第１の実施形態の吸収性物品を説明するための図である。図１（ａ）は、本発明の第１の実施形態における吸収性物品の平面図であり、図１（ｂ）は、本発明の第１の実施形態における吸収性物品の背面図であり、図１（ｃ）は、図１（ａ）のＡ−Ａ断面を概略的に表した図である。本発明の第１の実施形態における吸収性物品１Ａは、透液性の表面シート１０と、表面シート１０と対向する位置に設けられた裏面シート２０と、表面シート１０および裏面シート２０の間の表面シート１０側に設けられた吸収体３０Ａと、表面シート１０および裏面シート２０の間の裏面シート２０側に設けられた、液の透過を抑制する防漏シート４０Ａと、裏面シート２０の表面シート１０側とは反対側の面に設けられた粘着部５０とを備える。表面シート１０、裏面シート２０、吸収体３０Ａおよび防漏シート４０Ａは、同じ外形および寸法を有する。図１で、吸収性物品１Ａの長手方向がｘ軸であり、長手方向に直交する幅方向がｙ軸方向である。また、図１では、ｘｙ方向が面方向である。
【００１２】
表面シート１０は、液の透過を妨げない塗布坪量のホットメルト型接着剤などを使用して吸収体３０Ａと接着している。同様な方法で、吸収体３０Ａは防漏シート４０Ａと接着し、防漏シート４０Ａは裏面シート２０と接着している。
【００１３】
吸収性物品１Ａには、加熱圧縮によるエンボス加工が施されており、吸収性物品１Ａは、エンボス加工により形成されたエンボス圧縮部６０，７０を有する。吸収性物品１Ａには、エンボス圧縮部６０により、ドットパターンおよび花びら形状が描かれている。なお、ドットパターンおよび花びら形状の他に、円形状、星形状、リーフ状模様、波状パターンなどをエンボス圧縮部で描くようにしてもよい。このように、所定の図形や模様などを描くためのエンボス圧縮部６０を、以下デザインエンボス６０と呼ぶ。また、吸収性物品１Ａの外周には、表面シート１０、裏面シート２０、吸収体３０Ａおよび防漏シート４０Ａを一緒に接合するためのランドシールがエンボス圧縮部７０によって形成されている。このようなランドシールを形成するエンボス圧縮部７０を、以下ラウンドシールエンボス７０と呼ぶ。
【００１４】
表面シート１０は、吸収性物品の着用時に着用者の肌に接するシートである。表面シート１０には、熱捲縮繊維を主体として含む不織布が使用される。熱捲縮繊維とは、熱処理などによって潜在捲縮性繊維の捲縮を発現させた繊維である。熱捲縮繊維を主体として含む不織布は、潜在捲縮性繊維を主体として含むウエブを、カード機などのウエブ形成手段によって形成し、ウエブを所定温度に加熱して潜在捲縮性繊維の捲縮を発現させることにより作製される。表面シート１０に使用される不織布には、高圧水流によってシート加工されたスパンレース不織布が好ましい。しかし、表面シート１０に使用される不織布は、スパンレース不織布に限定されず、たとえば、サーマルボンド不織布、スパンボンド不織布、スパンボンド−メルトブローン−スパンボンド不織布、スパンボンド−メルトブローン−メルトブローン−スパンボンド不織布、ニードルパンチ不織布、エアレイド不織布などでもよい。
【００１５】
潜在捲縮性繊維には、たとえば、図２（ａ）に示すように、高収縮成分１１０Ａおよび低収縮成分１２０Ａが並列に配置されたサイド・バイ・サイド型複合繊維１００Ａおよび図２（ｂ）に示すように、高収縮成分１１０Ｂを芯に低収縮成分１２０Ｂを鞘にし、両成分の重心が一点に重ならない芯鞘型に配置された偏芯芯鞘型複合繊維１００Ｂがある。潜在捲縮性繊維の捲縮を発現させると、潜在捲縮性繊維は、たとえばコイル状に捲縮する。
【００１６】
表面シート１０に使用するのに好適なサイド・バイ・サイド型複合繊維には、たとえば、ユニチカ社製のポリエステル繊維（Ｔ８１、捲縮発現温度１４０℃以上、捲縮発現数（１７０℃・６５個））がある。表面シート１０に使用するのに好適な偏芯芯鞘型複合繊維には、たとえば、チッソ社製のポリオレフィン繊維（チッソＥＰ繊維、捲縮発現温度１１０℃以上、捲縮発現数（１４０℃・５５個））がある。
【００１７】
不織布を構成する繊維は、不織布を製造する工程でウエブが進行する方向、すなわち、機械方向（ＭＤ）に配向する傾向がある。したがって、図３に示すように表面シート１０に使用される不織布２００中の捲縮繊維２１０も機械方向（ＭＤ）に配向する傾向がある。このため、熱捲縮繊維２１０は、不織布２００の機械方向（ＭＤ）において絡み合いの度合いが大きくなる。したがって、不織布２００を伸長させるために必要な力（伸長力）および伸長した不織布２００が収縮しようとする力（収縮力）は、機械方向（ＭＤ）と直交する幅方向（ＣＤ）に比べて、機械方向（ＭＤ）の方が大きい傾向にある。
【００１８】
表面シート１０の長手方向の伸長力および収縮力を強くさせないために、表面シート１０に用いる不織布の機械方向（ＭＤ）が表面シート１０の長手方向と直交をなすことが好ましい。すなわち、表面シート１０の繊維の配向方向が、長手方向に対して直交していることが好ましい。ここで、伸長力とは表面シート１０を伸長させるために必要な力であり、収縮力とは伸長した表面シート１０が収縮しようとする力である。
【００１９】
吸収性物品１Ａを貼り付ける下着の伸縮に吸収性物品１Ａの伸縮を追従させるのに適切な伸長力および収縮力を得るために、表面シート１０に用いる不織布は、潜在捲縮性繊維の捲縮を発現させることによって、３０〜６０％の収縮率に収縮した不織布であることが好ましい。不織布の収縮率が３０％よりも小さいと、表面シート１０はあまり伸縮しなくなり、吸収性物品１Ａを貼り付ける下着の伸縮に吸収性物品１Ａの伸縮を追従させることができなくなる場合がある。また、不織布の収縮率が６０％よりも大きいと、表面シート１０の伸長力および収縮力が、吸収性物品１Ａを貼り付ける下着の伸縮に吸収性物品１Ａの伸縮を追従させるには大きくなりすぎてしまう場合がある。ここで、収縮率は次式より算出することができる。
収縮率（％）＝（１００−（（熱処理前のウエブの幅）−（熱処理後のウエブの幅）／熱処理前のウエブの幅）×１００）
ここで、熱処理とは潜在捲縮性繊維の捲縮を発現させるための熱処理である。
【００２０】
表面シート１０に用いる不織布は、潜在捲縮性繊維の捲縮を発現させることによって、最大で６０％の収縮率しか収縮していない。このため、表面シート１０に用いる不織布をさらに繊維の融点付近の温度まで加熱すると、潜在捲縮性繊維の捲縮の発現がさらに進む。たとえば、表面シート１０に用いる不織布をさらに熱処理すると、この熱処理前に比べて１５〜３０％の収縮率で収縮させることができる。すなわち、表面シート１０に用いる不織布では、最大の捲縮までには至らない程度の潜在捲縮性繊維の捲縮を発現させている。
【００２１】
また、表面シート１０に用いる不織布は、潜在捲縮性繊維の捲縮を発現させる温度において、４０〜１００個／２５ｍｍの捲縮数の捲縮を発現させた熱捲縮繊維であることが好ましい。この捲縮数は、ＪＩＳ−Ｌ１０１５−８．１２（２０１０）にしたがって測定されたものである。熱捲縮繊維の捲縮数が４０個／２５ｍｍよりも小さいと、表面シート１０はあまり伸縮しなくなり、吸収性物品１Ａを貼り付ける下着の伸縮に吸収性物品１Ａの伸縮を追従させることができなくなる場合がある。また、熱捲縮繊維の捲縮数が１００個／２５ｍｍよりも大きいと、表面シート１０の伸長力および収縮力が、吸収性物品１Ａを貼り付ける下着の伸縮に吸収性物品１Ａの伸縮を追従させるには大きくなりすぎてしまう場合がある。
【００２２】
通常、潜在捲縮性繊維の捲縮を発現させる熱処理の後、繊維同士を融着させる熱処理を行うが、表面シート１０に用いる不織布では、表面シート１０の伸長力および収縮力を強くさせないために、繊維同士を融着させる熱処理を行わない方が好ましい。
【００２３】
表面シート１０に用いる不織布の目付は、不織布の伸長力および液透過性の観点から２５〜１００ｇ／ｍ2であることが好ましい。このような目付の不織布は、たとえば、カード機などのウエブ形成手段によってウエブを形成した後、高圧水流によるシート加工を行い、加熱処理によってウエブを収縮させることによって作製される。
【００２４】
表面シート１０に用いる不織布は、表面シート１０の吸収性、肌触りなどを改善するために、熱捲縮繊維の他の繊維を含むことができる。たとえば、表面シート１０に親水性、吸水性を与えるために、不織布は、綿、レーヨンなどを２０重量％以上含むようにしてもよい。
【００２５】
裏面シート２０には、表面シート１０と同様の上述の不織布を使用することができる。たとえば、熱捲縮線を主として含むスパンレース不織布を使用することができる。裏面シート２０は液透過性を有する必要がないので、裏面シート２０には３０〜１５０ｇ／ｍ2の目付の不織布を使用することができる。裏面シート２０には、さらに３０〜６０ｇ／ｍ2の目付の不織布を使用することが好ましい。吸収性物品が防漏シートを備えない場合は、着用者の体液の透過による下着の汚れを防止するために、裏面シート２０に用いる不織布は液の透過を抑制するものが好ましい。この場合、裏面シート２０には、繊度が２．２ｄｔｅｘ以上のポリエステル系繊維を用いた１００ｇ／ｍ2以上の目付の不織布を使用することが好ましい。
【００２６】
裏面シート２０の長手方向の伸長力および収縮力を強くさせないために、裏面シート２０に用いる不織布の機械方向（ＭＤ）が裏面シート２０の長手方向と直交をなすことが好ましい。すなわち、裏面シート２０の繊維の配向方向が、長手方向に対して直交していることが好ましい。
【００２７】
裏面シート２０に用いる不織布では、裏面シート２０の伸長力および収縮力を強くさせないために、表面シート１０に用いる不織布と同様に、繊維同士を融着させる熱処理を行わない方が好ましい。
【００２８】
所定の応力をシートに与えて伸長させた後、応力を解除して収縮した後のシートの長さから元のシート長さを引いた値を、元のシートの長さでさらに割り算した値、すなわち、シートの伸長歪み量は、表面シート１０と裏面シート２０とで、同等であることが好ましい。これにより、吸収性物品１Ａが伸長した後、表面シート１０の伸長歪み量と裏面シート２０の伸長歪み量との差異により生ずる吸収性物品１Ａのたるみ、しわ、凹凸などが発生するのを抑制することができる。
【００２９】
吸収体３０Ａは、着用者の体液を吸収し保持する。なお、軽微な下着の汚れを防止するための吸収性物品の場合は、吸収性物品は吸収体を備えなくてもよい。
【００３０】
吸収体３０Ａは、熱捲縮繊維と、吸収性を高めるための繊維とを含む。たとえば、吸収体３０Ａには、熱捲縮繊維と、レーヨン、綿、羽毛パルプなどの吸水性および親水性を高める繊維との混合物からなるスパンレース不織布を使用することができる。また、吸収体３０Ａには、レーヨン繊維を７０〜１００重量％、ＰＥＴ（ポリエチレンテレフタレート）繊維を０〜３０重量％、およびＰＥ（ポリエチレン）−ＰＰ（ポリプロピレン）芯鞘繊維を０〜３０重量％含んだ、目付が２０〜８０ｇ／ｍ2および厚みが０．１５〜０．５０ｍｍである非熱捲縮性のスパンレース不織布を用いることができる。また、吸収体３０Ａには、パルプ繊維を５０〜９０重量％、ＰＥ−ＰＰ芯鞘繊維を０〜３０重量％、およびラテックス樹脂を１０〜２５重量％含んだ、目付が３５〜８０ｇ／ｍ2であるエアレイドパルプ、または、目付が７０〜２００ｇ／ｍ2である羽毛パルプを使用することができる。
【００３１】
吸収体３０Ａの長手方向の伸長力および収縮力を低減させるために、吸収体３０Ａの機械方向（ＭＤ）は、吸収性物品１Ａの長手方向と直交することが好ましい。
【００３２】
表面シート１０および裏面シート２０の伸長を阻害しないために、吸収体３０Ａの伸長強度を低減させるための加工として、複数の開口部（デサインエンボス）６０を吸収体３０Ａに形成するためのエンボス加工が施されている。ここで、吸収体３０Ａの伸長強度とは、吸収体が伸びて塑性変形が生ずるのに必要な応力である。伸長強度を低減させるための他の加工には、たとえば、吸収体３０Ａにメッシュ状の溝を形成したり、スリットを形成したりすることなどがある。とくに、吸収体３０Ａの伸長強度を低減させるための加工によって、吸収体３０Ａの機械方向（延伸方向）と直交する幅方向（ＣＤ）の伸長強度を低減させることが好ましい。また、吸収性物品１Ａの伸長力および収縮力を減少させるために、表面シート１０および裏面シートのうちの少なくとも一方についても、同様の伸長強度を低減させるための加工を施してもよい。
【００３３】
防漏シート４０Ａは、吸収体３０Ａで吸収した着用者からの体液が外側に漏れるのを抑制するためのシートである。なお、裏面シート２０が液不透過性のシートまたは液の透過を抑制するシートである場合は、吸収性物品に防漏シート４０Ａを設けなくてもよい。
【００３４】
防漏シート４０Ａには、機械方向（ＭＤ）に一軸延伸加工を施し、機械方向（ＭＤ）と直交する幅方向（ＣＤ）の引っ張り強度を低減させた、１０〜４０ｇ／ｍ2の坪量（または目付）の透湿フィルム、疎水性繊維（撥水加工した、もしくは親水加工していない繊維）からなる不織布、または不織布にラミネート加工を施した複合材料などを用いることができる。とくに、防漏シート４０Ａには、一軸延伸フィルムが好ましい。たとえば、伸長性、防漏性、透湿性および製造コストの観点から、防漏シート４０Ａには、炭酸カルシウム、硫酸バリウムなどの無機化合物の充填剤微粒子を３０〜８０重量％含有するポリオレフィン系樹脂組成物を一軸方向に延伸することで延伸方向と直交する方向に伸長性を発現させ、かつ透湿性を高めた１０〜５０ｇ／ｍ2の坪量のフィルム組成物が好ましい。防漏シート４０Ａが延伸された方向が吸収性物品１Ａの長手方向と直交するように防漏シート４０Ａを吸収性物品１Ａに設けるのが好ましい。
【００３５】
表面シート１０および裏面シート２０の伸長を阻害しないために、防漏シート４０Ａに、吸収体３０Ａと同じような伸長強度を低減させる加工を施してもよい。ここで、防漏シート４０Ａの伸長強度とは、防漏シートが伸びて塑性変形が生ずるのに必要な応力である。伸長強度を低減させるための他の加工には、たとえば、防漏シート４０Ａにメッシュ状の溝を形成したり、エンボス加工により複数の開口部を形成したり、スリットを形成したりすることなどがある。とくに、防漏シート４０Ａの伸長強度を低減させるための加工によって、防漏シート４０Ａの機械方向（延伸方向）と直交する方向（ＣＤ）の伸長強度を低減させることが好ましい。
【００３６】
粘着部５０は、裏面シート２０の表面シート１０と対向する面の反対の面（非肌当接面）と接するシーツなどの下着に吸収性物品１Ａを貼り付けるための粘着層である。粘着部５０は、吸収性物品１Ａの幅方向（ｙ軸方向）に延びる矩形形状の粘着部であり、複数の粘着部５０が吸収性物品１Ａの長手方向（ｘ軸方向）に並んでいる。なお、先着部の形状は、矩形形状には限定されず、たとえば円形でもよい。また、長手方向に延びる矩形形状の複数の粘着部を幅方向に並べてもよい。
【００３７】
粘着部５０は、吸収性物品１Ａの長手方向の端周辺（吸収性物品１Ａの長手方向の端から２０ｍｍ以内の範囲内）に少なくとも設けられるのが好ましく、吸収性物品１Ａの長手方向の端から１０ｍｍ以内の範囲内に少なくとも設けられることがさらに好ましい。粘着部５０は、ホットメルト型の感圧性接着剤を裏面シート２０に直接塗工することにより形成することが好ましい。剥離紙に粘着剤を塗工し、剥離紙から塗工された粘着剤を裏面シート２０に転写して粘着部５０を形成する方法もあるが、この方法では、接着剤が裏面シート２０に十分浸透せず、下着から吸収性物品１Ａをはがす際、粘着部５０が剥がれて下着に残ってしまう場合がある。
【００３８】
デザインエンボス６０は、表面シート１０から吸収体３０Ａまで達している。これにより、吸収性物品１Ａの表面シート１０側の表面から吸収体３０Ａまでの液体の連通性が高まり、着用者の体液を速やかに吸収することができる。また、デザインエンボス６０は、吸収性物品１Ａの内部につながる凹部を形成しているので、吸収性物品１Ａのデザインエンボス６０を見た着用者は、吸収性物品１Ａが高吸収性機能を有することを想起できる。またデザインエンボス６０により描かれた模様や図形により、吸収性物品１Ａにデザインによる情緒的な価値を付与することができる。
【００３９】
表面シート１０の伸長歪み量、裏面シート２０の伸長歪み量、吸収体３０Ａの伸長歪み量および防漏シート４０Ａの伸長歪み量はほぼ同等（±５％以内）であることが好ましい。これにより、伸長歪み量の差異が原因で生じる吸収性物品１Ａの凹凸、よれなどを防止することができる。そして吸収性物品１Ａの使用感を良好にするとともに、使用後の吸収性物品１Ａの見た目の状態も悪くならない。
【００４０】
吸収性物品１Ａの収縮力は、伸長力よりも小さいことが好ましい。吸収性物品１Ａの伸縮力が伸長力と同等である場合、吸収性物品１Ａは、ゴムなどの弾性体と同じような弾性特性を有することになり、収縮力も強いものとなる。このような弾性特性を有する吸収性物品を使用すると、着用者は、吸収性物品の着用時、常に吸収性物品の収縮力を感じることになり、着用者は吸収性物品に対して違和感を感じる場合がある。また、吸収性物品の強い収縮力により吸収性物品が下着から外れてしまう場合がある。
【００４１】
吸収性物品１Ａの収縮力が弱くなると吸収性物品１Ａは緩やかに収縮することになる。これにより、吸収性物品１Ａが取り付けられた下着よりも吸収性物品１Ａが速く収縮するのを防ぐことができ、着用中に着用者に対して突っ張ったような使用感を与えるのを抑制することができる。
【００４２】
所定の応力を吸収性物品１Ａに与えて元の長さに対して１０％伸長させた後、応力を解除して収縮した後の吸収性物品１Ａの長さから元の吸収性物品１Ａの長さを引いた値を、元の吸収性物品１Ａの長さでさらに割り算した値、すなわち、吸収性物品１Ａの伸長歪み量は、２０％以上、４０％以下であることが好ましく、３０％以下であることがさらに好ましい。吸収性物品１Ａの伸長歪み量が４０％よりも大きくなると、吸収性物品１Ａを取り付けた下着が伸長した後に収縮したとき、下着の収縮に合わせて、吸収性物品１Ａが収縮できない場合があり、吸収性物品１Ａが歪んだり、波打つ状態になったりする場合がある。
【００４３】
吸収性物品１Ａを元の長さの５％伸長させたときの収縮力は、０．４Ｎ（２５ｍｍ幅）以下であることが好ましい。吸収性物品１Ａを元の長さの５％伸長させたときの収縮力が０．４Ｎ（２５ｍｍ幅）よりも大きいと、着用時に着用者に対して突っ張ったような使用感を与えたり、下着が体圧から解放されたとき吸収性物品は、たるみ、しわ、よれなどを下着に発生させたりする場合がある。なお、この収縮力の測定条件は、後述する実施例と同じである。
【００４４】
−第２の実施形態−
以下、図を参照して本発明の第２の実施形態の吸収性物品を説明する。第２の実施形態の吸収性物品の構成要素のうち第１の実施形態の吸収性物品１Ａの構成要素と共通する構成要素については同じ符号を付し、第１の実施形態の吸収性物品１Ａと異なる部分を主に説明する。
【００４５】
本発明の第２の実施形態の吸収性物品も第１の実施形態の吸収性物品１Ａと同じパンティライナである。第１の実施形態の吸収性物品１Ａでは、表面シート１０、裏面シート２０、吸収体３０Ａおよび防漏シート４０Ａの外形および寸法は同じであった。しかし、第２の実施形態の吸収性物品では、吸収体および防漏シートの外形および寸法は、表面シートおよび裏面シートの外形および寸法と異なる。とくに、第２の実施形態の吸収性物品では、吸収体および防漏シートの面方向の大きさは、表面シートおよび裏面シートの面方向の大きさに比べて小さい。
【００４６】
図４は、本発明の第２の実施形態の吸収性物品を説明するための図である。図４（ａ）は、本発明の第２の実施形態における吸収性物品の平面図であり、図４（ｂ）は、本発明の第２の実施形態における吸収性物品の背面図であり、図４（ｃ）は、図４（ａ）のＢ−Ｂ断面を概略的に表した図である。本発明の第２の実施形態における吸収性物品１Ｂは、透液性の表面シート１０と、表面シート１０と対向する位置に設けられた裏面シート２０と、表面シート１０および裏面シート２０の間の表面シート１０側に設けられた吸収体３０Ｂと、表面シート１０および裏面シート２０の間の裏面シート２０側に設けられた、液の透過を抑制する防漏シート４０Ｂと、裏面シート２０の表面シート１０側とは反対側の面に設けられた粘着部５０とを備える。図４では、吸収性物品１Ｂの長手方向がｘ軸であり、長手方向に直交する幅方向がｙ軸方向である。また、図４では、ｘｙ方向が面方向である。
【００４７】
第２の実施形態の吸収性物品１Ｂの表面シート１０、裏面シート２０および粘着部５０は、第１の実施形態の吸収性物品１Ａの表面シート１０、裏面シート２０および粘着部５０と同様であるので、第２の実施形態の吸収性物品１Ｂの表面シート１０、裏面シート２０および粘着部５０の説明は省略する。
【００４８】
吸収性物品１Ｂにおけるラウンドシールエンボス７０は、表面シート１０および裏面シート２０を一緒に接合する。
【００４９】
吸収体３０Ｂは、第１の実施形態の吸収性物品１Ａの吸収体３０Ａと、主に面方向の大きさおよび面方向の形状のみが異なる。吸収体３０Ｂの面方向の大きさは、表面シート１０および裏面シート２０の面方向の大きさよりも小さい。また、吸収体３０Ｂの面方向の領域は、表面シート１０および裏面シート２０の面方向の領域の中に含まれる。吸収体３０Ｂの長手方向の寸法は、６０ｍｍ以上であることが好ましく、幅方向の寸法は２５ｍｍ以上であることが好ましい。この寸法よりも小さくなると、着用者が吸収性物品１Ｂを着用しているときに吸収性物品１Ｂの位置がずれた場合、着用者の体液が吸収体３０Ｂの平面方向の領域から外れた位置に排出される場合がある。
【００５０】
第１の実施形態の吸収性物品１Ａと同様に、第２の実施形態の吸収性物品１Ｂについても、軽微な下着の汚れを防止するための吸収性物品の場合は、吸収性物品は吸収体３０Ｂを備えなくてもよい。
【００５１】
防漏シート４０Ｂは、吸収体３０Ｂで吸収した着用者からの体液が外側に漏れるのを抑制するためのシートである。したがって、防漏シート４０Ｂの面方向の大きさおよび形状は、吸収体３０Ｂの面方向の大きさおよび形状と同様であることが好ましい。また、防漏シート４０Ｂの面方向の大きさを、吸収体３０Ｂの面方向の大きさよりも大きく、かつ表面シート１０および裏面シート２０の面方向の大きさよりも小さくするようにしてもよい。防漏シート４０Ｂの面方向の領域は、表面シート１０および裏面シート２０の面方向の領域の中に含まれる。
【００５２】
第１の実施形態の吸収性物品１Ａと同様に、裏面シート２０が液不透過性のシートまたは液の透過を抑制するシートである場合は、吸収性物品に防漏シート４０Ｂを設けなくてもよい。
【００５３】
吸収性物品の構成要素の積み重なりが増えると、吸収性物品の伸長力および収縮力が大きくなり、伸長性が小さくなる。したがって、積み重なる構成要素の数は少ない方が好ましい。ところで、吸収性物品において、吸収性や防漏性を必要とされるのは、主に着用者の体液が排出される領域、たとえば、吸収性物品の長手方向および幅方向の中央付近の領域である。それ以外の領域では、着用者の体液が直接排出されることが少ない。そこで、第２の実施形態の吸収性物品１Ｂでは、吸収性物品１Ｂの中で、とくに吸収性や防漏性を必要とされる領域に吸収体３０Ｂおよび防漏シート４０Ｂを設け、それ以外の領域に吸収体３０Ｂおよび防漏シート４０Ｂを設けないようにすることによって、吸収性物品１Ｂの伸長力および収縮力を低減させ、伸長性を大きくしている。
【００５４】
吸収性物品１Ｂにおける吸収体３０Ｂの周りの領域では、吸収体３０Ｂおよび防漏シート４０Ｂが設けられていないので、伸長力および収縮力が強くならず、伸長性が大きくなる。したがって、吸収体３０Ｂの周りの領域は、吸収性物品１Ｂが取り付けられた下着の伸縮に追従することができる。吸収性物品１Ｂにおける吸収体３０Ｂの周りの領域のうちの吸収体３０Ｂに対して長手方向にある領域は、下着の胴回り近傍に固定される。下着の胴回り近傍は、着用者が下着を着用するときに大きく伸長する部分であるので、吸収性物品１Ｂにおいて吸収体３０Ｂに対して長手方向にある領域の伸長力および収縮力が強くなく、伸長性が大きいことは非常に好ましい。また、吸収性物品１Ｂにおいて吸収体３０Ｂの周りの領域のうちの吸収体３０Ｂに対して幅方向にある領域は、下着の股繰り近傍に固定される。下着の股繰り近傍は、着用者が足を動かすたびに伸縮する領域であるので、伸縮が頻繁に起こる。したがって、吸収性物品１Ｂにおいて吸収体３０Ｂに対して幅方向にある領域の伸長力および収縮力が強くなく、伸長性が大きいことは非常に好ましい。一方、吸収性物品１Ｂにおける吸収体３０Ｂの領域は、下着においてあまり伸縮が起きない領域に固定されるので、伸長力および収縮力が多少強く、伸長性が小さくなっても着用者が違和感を感じることが少ない。
【００５５】
吸収体３０Ｂに対して幅方向にある領域には、吸収体３０Ｂおよび防漏シート４０Ｂが設けられていないので、吸収体３０Ｂに対して幅方向にある領域は柔らかい。吸収性物品１Ｂにおいて吸収体３０Ｂに対して幅方向にある領域は使用者の脚に接触する領域であるので、吸収体３０Ｂに対して幅方向にある領域が柔らかいことは非常に好ましい。
【００５６】
第１の実施形態の吸収性物品１Ａと同様に、表面シート１０および裏面シート２０の伸長を阻害しないために、吸収体３０Ｂおよび防漏シート４０Ｂのうちの少なくとも一方に、伸長強度を低減させる加工を施してもよい。また、表面シート１０および裏面シート２０にも伸長強度を低減させる加工を施してもよい。
【実施例１】
【００５７】
実施例１では、本発明の第１の実施形態の吸収性物品１Ａの伸長力、収縮力および歪み量を測定した。
【００５８】
第１の実施形態の吸収性物品１Ａから長手方向１４０ｍｍ、幅２５ｍｍの試験試料を切り出した。そして、チャック間が１００ｍｍである引っ張り試験機（インストロン５５６４、インストロンジャパンカンパニーリミテッド社製）に試験試料を取り付け、１００ｍｍ／分の引っ張りスピードで引っ張り試験を行った。引っ張り試験は、試験試料が１０％伸長（１０ｍｍ）するまで試験試料を伸ばして伸長力を測定し、試験試料が１０％伸長（１０ｍｍ）した後は、１００ｍｍ／分のスピードで試験試料を収縮させて収縮力を測定した。また、収縮力が０Ｎになったときのストローク値が、試験試料が１０％伸長することによって伸びた長さであるので、収縮力が０Ｎになったときのストローク値をチャック間の距離である１００ｍｍで割り算することにより歪み値を求めた。試験は、引っ張り試験機に同じ試料を取り付けた状態で２回連続して行った。また、比較のために、一般的な下着の例としてショーツ（ソフィショーツ、ユニ・チャーム社製）および伸縮性のないパンティライナの伸縮力および収縮力も、第１の実施形態の吸収性物品１Ａと同様の試験条件で測定した。結果を図５に示す。
【００５９】
図５（ａ）は、本発明の第１の実施形態の吸収性物品１Ａの伸長力、収縮力および歪み量を測定した結果を示す図である。グラフ３１０が第１の実施形態の吸収性物品１Ａの伸長力、収縮力および歪み量を測定した結果を示すグラフである。符号３１１は、１回目の試験試料を伸長させたときの伸縮力を示す。符号３１２は１回目の試験試料を１０％伸長させた後、収縮させたときの伸縮力を示す。地点３１３は、収縮力が０Ｎになったときのストローク値（２．８９ｍｍ）を示す。符号３１４は、２回目の試験試料を伸長させたときの伸縮力を示す。符号３１５は２回目の試験試料を１０％伸長させた後、収縮させたときの伸縮力を示す。
【００６０】
図５（ａ）に示すように、第１の実施形態の吸収性物品１Ａの収縮力は、伸長力よりも小さいことがわかる。また、第１の実施形態の吸収性物品１Ａの歪み量は、約３０％であった。
【００６１】
図５（ｂ）は、本発明の第１の実施形態の吸収性物品１Ａの伸長力および収縮力とショーツの伸長力および収縮力とを比較するための図である。グラフ３２０が、ショーツの伸長力および収縮力を測定した結果を示すグラフである。これを見ると、第１の実施形態の吸収性物品１Ａは、ショーツと同じように伸縮するので、第１の実施形態の吸収性物品１Ａの伸縮は、ショーツの伸縮に追従できることがわかる。また、第１の実施形態の吸収性物品１Ａの伸長力は、ショーツの伸長力と同等もしくは小さく、第１の実施形態の吸収性物品１Ａの収縮力は、ショーツの収縮力よりも小さいことがわかった。
【００６２】
図５（ｃ）は、伸縮性のないパンティライナの伸長力および収縮力とショーツの伸長力および収縮力とを比較するための図である。グラフ３３０が、伸縮性のないパンティライナの伸長力および収縮力を測定した結果を示すグラフである。これを見ると、伸縮性のないパンティライナの伸縮の挙動は、ショーツの伸縮の挙動と大きく異なるので、伸縮性のないパンティライナの伸縮は、ショーツの伸縮に追従できないことがわかる。また、伸縮性のないパンティライナの伸長力および収縮力は、ショーツの伸長力および収縮力と比べて非常に大きいことがわかった。
【実施例２】
【００６３】
実施例２では、本発明の第２の実施形態の吸収性物品１Ｂの吸収体３０Ｂおよび防漏シート４０Ｂ（図４参照）の存在する領域の伸長力および収縮力と、吸収体３０Ｂおよび防漏シート４０Ｂ（図４参照）の存在しない領域（図４のＣ−Ｃの領域）の伸長力および収縮力とを測定した。測定する試料の寸法、測定装置および測定条件は、実施例１と同じである。結果を図６に示す。
【００６４】
図６は、本発明の第２の実施形態の吸収性物品１Ｂの吸収体３０Ｂおよび防漏シート４０Ｂ（図４参照）の存在する領域の伸長力および収縮力と、吸収体３０Ｂおよび防漏シート４０Ｂ（図４参照）の存在しない領域（図４のＣ−Ｃの領域）の伸長力および収縮力とを測定した結果を示す図である。図６のグラフ４１０は、吸収体３０Ｂおよび防漏シート４０Ｂ（図４参照）の存在する領域の伸長力および収縮力を測定した結果を示すグラフであり、図６のグラフ４２０は、吸収体３０Ｂおよび防漏シート４０Ｂ（図４参照）の存在しない領域の伸長力および収縮力を測定した結果を示すグラフである。第２の実施形態の吸収性物品１Ｂの吸収体３０Ｂおよび防漏シート４０Ｂ（図４参照）の存在する領域では、伸長力および収縮力は大きいものの、吸収体３０Ｂおよび防漏シート４０Ｂ（図４参照）の存在しない領域では、伸長力および収縮力は非常に小さいことがわかる。
【００６５】
以上の本発明の第１の実施形態の吸収性物品１Ａでは、次のような作用効果が奏する。
（１）本発明の第１の実施形態の吸収性物品１Ａは、液透過性の表面シート１０と、表面シート１０と対向する位置に設けられた裏面シート２０と、裏面シート２０の表面シート１０側とは反対側の面に設けられた粘着部５０とを備え、表面シート１０および裏面シート２０は、高圧水流によってシート加工された後、潜在捲縮性繊維の捲縮を発現させることにより作製させた不織布であるようにした。これにより、好適な収縮力を有する伸縮可能な吸収性物品１Ａを提供することができ、吸収性物品１Ａが、着用時に着用者に対して突っ張ったような使用感を与えたり、下着が体圧から解放されたときに吸収性物品が、たるみ、しわ、よれなどを下着に発生させたりするのを抑制することができる。
【００６６】
（２）表面シート１０および裏面シート２０の少なくとも一方は、該シートを構成する繊維の融点付近の温度まで加熱した場合、さらに収縮するものとした。これにより、潜在捲縮性繊維の捲縮の発現が進みすぎて、吸収性物品１Ａの伸長力および収縮力が強くなりすぎるのを防ぐことができる。
【００６７】
（３）表面シート１０および裏面シート２０の繊維の配向方向が、長手方向に対して直交するようにした。これにより、表面シート１０および裏面シート２０の長手方向の伸長力および収縮力を小さくすることができ、好適な伸長力および収縮力を有する伸縮可能な吸収性物品１Ａを提供することができる。
【００６８】
（４）裏面シート２０の表面シート１０側に、液の透過を抑制する防漏シート４０Ａをさらに備え、防漏シート４０Ａは、一軸延伸フィルムであるようにした。これにより、防漏シート４０Ａの延伸方向と直交する方向が吸収性物品１Ａの長手方向になるように防漏シート４０Ａを吸収性物品１Ａに設けることによって、長手方向の伸縮力及び収縮力の弱い吸収性物品１Ａを得ることができる。
【００６９】
（５）表面シート１０、裏面シート、吸収体３０Ａおよび防漏シート４０Ａ、すなわち、吸収性物品１Ａの粘着部５０を除く構成要素１０，２０，３０Ａ，４０Ａのうちの少なくとも１つの構成要素は、メッシュ状の溝を形成するか、エンボス加工により複数の開口部を形成するか、またはスリットを形成することによって、伸長強度が低減されているようにした。これにより、吸収性物品１Ａ全体としての伸長力および収縮力を減少させることができる。また、吸収体３０Ａに、伸長強度を低減させるための加工を施すことにより、下着の伸長に合わせて表面シート１０および裏面シート２０が伸長するのを吸収体３０Ａが阻害するのを抑制することができる。さらに、防漏シート４０Ａに、伸長強度を低減させるための加工を施すことにより、下着の伸長に合わせて表面シート１０および裏面シート２０が伸長するのを防漏シート４０が阻害するのを抑制することができる。
【００７０】
以上の本発明の第２の実施形態の吸収性物品１Ｂでは、第１の実施形態の吸収性物品１Ａが奏する効果以外に、次のような作用効果が奏する。
本発明の第２の実施形態の吸収性物品１Ｂは、液透過性の表面シート１０と、表面シートと対向する位置に設けられた裏面シート２０と、表面シート１０および裏面シート２０の間に設けられた吸収体３０Ｂと、裏面シート２０の表面シート１０側とは反対側の面に設けられた粘着部５０とを備え、吸収体３０Ｂの面方向の領域は、表面シート１０および裏面シート２０の面方向の領域の中に含まれるようにした。これにより、吸収性物品１Ｂの伸長力および収縮力をさらに小さくすることができる。また、吸収性物品１Ｂの中で、下着の伸縮が起きやすい領域に固定される領域の伸長力および収縮力を選択的に弱めることができる。また、吸収性物品１Ｂにおいて吸収体３０Ｂに対して幅方向にある、使用者の脚に接触する領域を柔らかくすることができる。
【００７１】
以上の本発明の第１の実施形態の吸収性物品１Ａおよび／または第２の実施形態の吸収性物品１Ｂを次のように変形することができる。
以上の第１および第２の実施形態の吸収性物品１Ａ，１Ｂは、パンティライナであったが、下着などの被着体に貼り付けて使用する吸収性物品であれば、パンティライナに限定されない。たとえば、生理用ナプキン、失禁パッド、失禁ライナなどの他の吸収性物品に対しても本発明を適用することができる。本発明はとくに薄型の吸収性物品に好適である。
【００７２】
実施形態同士をどのように組み合わせることも可能である。
【００７３】
以上の説明はあくまで一例であり、発明は、上記の実施形態に何ら限定されるものではない。
本発明に関連する発明の実施態様の一部を以下に示す。
［態様１］
液透過性の表面シートと、
前記表面シートと対向する位置に設けられた裏面シートと、
前記裏面シートの前記表面シート側とは反対側の面に設けられた粘着部とを備え、
前記表面シートおよび前記裏面シートは、高圧水流によってシート加工された後、潜在捲縮性繊維の捲縮を発現させることにより作製させた不織布である吸収性物品。
［態様２］
前記表面シートおよび裏面シートの少なくとも一方は、該シートを構成する繊維の融点付近の温度まで加熱した場合、さらに収縮する上記態様１に記載の吸収性物品。
［態様３］
前記表面シートおよび前記裏面シートの繊維の配向方向が、長手方向に対して直交している上記態様１または２に記載の吸収性物品。
［態様４］
前記表面シートと前記裏面シートとの間に設けられた吸収体をさらに備え、
前記吸収体の面方向の領域は、前記表面シートおよび前記裏面シートの面方向の領域の中に含まれる上記態様１〜３のいずれか１つに記載の吸収性物品。
［態様５］
前記裏面シートの前記表面シート側に、液の透過を抑制する防漏シートをさらに備え、
前記防漏シートは、一軸延伸フィルムである上記態様１〜４のいずれか１つに記載の吸収性物品。
［態様６］
前記吸収性物品の前記粘着部を除く前記構成要素のうちの少なくとも１つの構成要素は、メッシュ状の溝を形成するか、エンボス加工により複数の開口部を形成するか、またはスリットを形成することによって、伸長強度が低減されている上記態様１〜５のいずれか１つに記載の吸収性物品。
［態様７］
液透過性の表面シートと、
前記表面シートと対向する位置に設けられた裏面シートと、
前記表面シートと前記裏面シートとの間に設けられた吸収体と、
前記吸収体と前記裏面シートとの間に設けられた、液の透過を抑制する防漏シートと、
前記裏面シートの前記表面シート側とは反対側の面に設けられた粘着部とを備え、
前記表面シートおよび前記裏面シートは、高圧水流によってシート加工された後、潜在捲縮性繊維の捲縮を発現させることにより作製させた不織布であり、
前記表面シートおよび裏面シートの少なくとも一方は、該シートを構成する繊維の融点付近の温度まで加熱した場合、さらに収縮し、
前記表面シートおよび前記裏面シートの繊維の配向方向が、長手方向に対して直交しており、
前記吸収体の面方向の領域は、前記表面シートおよび前記裏面シートの面方向の領域の中に含まれ、
前記防漏シートは、一軸延伸フィルムであり、
前記表面シート、前記裏面シート、前記吸収体および前記防漏シートのうちの少なくとも１つは、メッシュ状の溝を形成するか、エンボス加工により複数の開口部を形成するか、またはスリットを形成することによって、伸長強度が低減されている吸収性物品。
【符号の説明】
【００７４】
１Ａ，１Ｂ    吸収性物品
１０    表面シート
２０    裏面シート
３０Ａ，３０Ｂ    吸収体
４０Ａ，４０Ｂ    防漏シート
５０    粘着部
６０    デザインエンボス
７０    ラウンドシールエンボス
１００Ａ    サイド・バイ・サイド型複合繊維
１００Ｂ    偏芯芯鞘型複合繊維
２００    不織布
２１０    捲縮繊維
【図１】
0006004605.tif 000002
【図２】
0006004605.tif 000003
【図３】
0006004605.tif 000004
【図４】
0006004605.tif 000005
【図５】
0006004605.tif 000006
【図６】
0006004605.tif 000007